(57)【要約】【課題】従来の布団カバーはカバー本体の縦辺に開閉部が形成されているだけなので、布団を出し入れし難い。【解決手段】スライダ１７ａを左方向へ、スライダ１７ｂを上方へ、またスライダ１７ｃを下方へスライドさせて、エレメント群を構成するエレメント１５を離し、縦開閉部９、横開閉部１１を開く。即ち、上シート部７を図１において矢印で示す方向へ捲り上げ、仮想線で示すように開いて、シート部７に大きな開口１９を形成する。そして、この開口１９から布団を入れる。次いで、スライダ１７ａを右方向へ、スライダ１７ｂを下方へ、またスライダ１７ｃを上方へスライドさせて、エレメント群を構成するエレメント１５を噛み合わせて、縦開閉部９、横開閉部１１を閉じる。【選択図】        図１
2005066322.tif 000002
【特許請求の範囲】
【請求項１】
布団を収容する矩形の袋状のカバー本体と、前記カバー本体に形成され縦方向へ延びる縦開閉部と横方向へ延びる横開閉部と、前記縦開閉部と横開閉部を開閉する滑り式留金具とを有する布団カバーにおいて、前記縦開閉部と横開閉部は互いに交わる交点をもつように配置されており、前記縦開閉部及び横開閉部の縁には滑り式留金具のエレメント群が配置され、且つ滑り式留金具のスライダは前記交点を境界とする各々のエレメント群毎に備えられていることを特徴とする布団カバー。
【請求項２】
請求項１に記載した布団カバーにおいて、縦開閉部はカバー本体の縦辺に形成され、横開閉部はカバー本体の長手方向途中に形成されていることを特徴とする布団カバー。
【請求項３】
請求項１に記載した布団カバーにおいて、縦開閉部はカバー本体の幅方向途中に形成され、横開閉部はカバー本体の長手方向途中に形成されていることを特徴とする布団カバー。
【請求項４】
請求項１に記載した布団カバーにおいて、縦開閉部はカバー本体の縦辺に形成され、横開閉部はカバー本体の長手方向途中と横辺とに形成されていることを特徴とする布団カバー。
【請求項５】
請求項１に記載した布団カバーにおいて、縦開閉部はカバー本体の一方側の両角部から他方側の横辺のほぼ中心に向かって直線状に形成され、横開閉部は前記カバー本体の他方側の横辺に形成されていることを特徴とする布団カバー。
【発明の詳細な説明】
【技術分野】
【０００１】
本発明は布団カバーに係り、特に寝具用の大型の布団に適した布団カバーに関するものである。
【背景技術】
【０００２】
寝具用の布団に用いる布団カバーには袋状のものがあり、この布団カバーは縦辺に開閉部が形成されており、この開閉部には滑り式留金具が設けられている。そして、この滑り式留金具のスライダをスライドさせて、エレメントを離れさせて開閉部を開き開口部を形成して、そこから布団を入れる。次いで、スライダをスライドさせてエレメントを噛み合わせて開閉部を閉じる。
【発明の開示】
【発明が解決しようとする課題】
【０００３】
しかしながら、上記従来の布団カバーはカバー本体の縦辺に開閉部が形成されているだけなので、布団を出し入れし難い問題がある。特に寝具に用いる大型の敷き布団や掛け布団に対し布団カバーを着脱するのはかなり面倒で手間の掛かる作業になる。
【課題を解決するための手段】
【０００４】
本発明は上記課題を解決するためになされたものであり、請求項１の発明は、布団を収容する矩形の袋状のカバー本体と、前記カバー本体に形成され縦方向へ延びる縦開閉部と横方向へ延びる横開閉部と、前記縦開閉部と横開閉部を開閉する滑り式留金具とを有する布団カバーにおいて、前記縦開閉部と横開閉部は互いに交わる交点をもつように配置されており、前記縦開閉部及び横開閉部の縁には滑り式留金具のエレメント群が配置され、且つ滑り式留金具のスライダは前記交点を境界とする各々のエレメント群毎に備えられていることを特徴とする布団カバーである。
【０００５】
請求項２の発明は、請求項１に記載した布団カバーにおいて、縦開閉部はカバー本体の縦辺に形成され、横開閉部はカバー本体の長手方向途中に形成されていることを特徴とする布団カバーである。
【０００６】
請求項３の発明は、請求項１に記載した布団カバーにおいて、縦開閉部はカバー本体の幅方向途中に形成され、横開閉部はカバー本体の長手方向途中に形成されていることを特徴とする布団カバーである。
【０００７】
請求項４の発明は、請求項１に記載した布団カバーにおいて、縦開閉部はカバー本体の縦辺に形成され、横開閉部はカバー本体の長手方向途中と横辺とに形成されていることを特徴とする布団カバーである。
【０００８】
請求項５の発明は、請求項１に記載した布団カバーにおいて、縦開閉部はカバー本体の一方側の両角部から他方側の横辺のほぼ中心に向かって直線状に形成され、横開閉部は前記カバー本体の他方側の横辺に形成されていることを特徴とする布団カバーである。
【発明の効果】
【０００９】
本発明の布団カバーによれば、滑り式留金具のエレメント群毎に備えられたスライダをそれぞれスライドさせてエレメント群を離して、互いに交わる縦開閉部と横開閉部とを開くことができる。従って、カバー本体に極めて大きな開口が形成されることになり、布団カバーを布団に対し容易に着脱させることが可能となる。
【実施例１】
【００１０】
本発明の実施例１に係る布団カバー１を図面にしたがって説明する。
符号３はカバー本体を示し、このカバー本体３は下シート部５と上シート部７とから成る矩形の袋状に形成されている。カバー本体３の縦辺としての右辺には縦開閉部９が形成され、この縦開閉部９は下シート５と上シート７とが離間可能な部位となっている。また、カバー本体３の長手方向の途中、即ち上辺部から四分の一程度下がった位置に横開閉部１１が形成されており、この横開閉部１１は上シート７に形成されたスリットによって構成されている。横開閉部１１はカバー本体３の幅方向へ延びて縦開閉部９と交わっており、横開閉部１１と縦開閉部９とは交点Ｉをもっている。
【００１１】
縦開閉部９と横開閉部１１には滑り式留金具１３（登録商標ファスナー）が取り付けられている。即ち縦開閉部９と横開閉部１１の縁部には、滑り式留金具１３の多数のエレメント１５が所定間隔で配置され取り付けられており、これら多数のエレメントによってエレメント群１５ａ、１５ｂ、１５ｃが構成されている。またエレメント１５には３つのスライダ１７ａ、１７ｂ、１７ｃが取り付けられており、これら３つのスライダ１７ａ、１７ｂ、１７ｃは縦開閉部９と横開閉部１１との交点Ｉを境にするエレメント群１５ａ、１５ｂ、１５ｃ毎にそれぞれ備えられている。
【００１２】
次に、この布団カバー１の使用方法について説明する。
スライダ１７ａを図１において左方向へ、スライダ１７ｂを上方へ、またスライダ１７ｃを下方へスライドさせて、エレメント群を構成するエレメント１５を離し、縦開閉部９と横開閉部１１を開く。即ち、上シート部７を図１において矢印で示す方向へ捲り上げ、仮想線で示すように開いて図２に示すように上シート部７に大きな開口１９を形成する。そして、この開口１９から布団２１を入れる。次いで、スライダ１７ａを図１において右方向へ、スライダ１７ｂを下方へ、またスライダ１７ｃを上方へスライドさせて、エレメント群を構成するエレメント１５を噛み合わせて、縦開閉部９と横開閉部１１を閉じる。
【００１３】
このように布団カバー１によれば、スライダ１７ａ、１７ｂ、１７ｃが交点Ｉを境にするエレメント群１５ａ、１５ｂ、１５ｃ毎に設けられているので、スライダ１７ａ、１７ｂ、１７ｃを独立してスライドさせて、縦開閉部９と横開閉部１１を開閉することができる。従って、縦開閉部９と横開閉部１１は交点Ｉの部分から捲り上げることができ、大きな開口１９を得ることができて、布団２１の出し入れを容易に行うことができる。
また、スライダ１７ａ、１７ｂ、１７ｃが交点Ｉを境にするエレメント群１５ａ、１５ｂ、１５ｃ毎に設けられているので、スライダ１７ａ、１７ｂ、１７ｃを極端に長い距離にスライドさせる頻度が少なく、縦開閉部９と横開閉部１１の開閉作業を楽に行うことができる。
【実施例２】
【００１４】
図３に実施例２に係る布団カバー３１を示す。
実施例２において実施例１に係る布団カバー１と同様の構成部分については実施例１で用いた符号を付しまた引用して、その説明を省略する。このことは実施例３〜実施例６においても適用する。
この布団カバー３１のカバー本体３の上シート７には縦開閉部９と横開閉部１１が形成されている。横開閉部１１はカバー本体３の上辺から四分の一程度下がった位置、即ち長手方向の途中に備えられ、縦開閉部９は右辺から五分の一程度左方向へ寄った位置、即ち幅方向途中に備えられている。
この布団カバー３１の縦開閉部９と横開閉部１１を開き、上シート部７を矢印で示す方向へ捲り上げ、仮想線で示すように開いて大きな開口を得る。なお、以下の実施例においても、図中の矢印、仮想線は同じ意味を有する。
【実施例３】
【００１５】
図４に実施例３に係る布団カバー４１を示す。
この布団カバー４１のカバー本体３の上シート７には縦開閉部９と横開閉部１１が形成されている。縦開閉部９は幅方向の中心に備えられ、横開閉部１１はカバー本体３の上辺から四分の一程度下がった位置に備えられている。
【実施例４】
【００１６】
図５に実施例４に係る布団カバー５１を示す。
この布団カバー５１のカバー本体３の上シート７には縦開閉部９、二つの横開閉部１１が形成されている。縦開閉部９はカバー本体３の縦辺としての右辺に形成され、横開閉部１１は上辺部から四分の一程度下がった位置に形成され、もう一つの横開閉部９は横辺としての下辺に形成されている。
【実施例５】
【００１７】
図６に実施例５に係る布団カバー６１を示す。
この布団カバー６１のカバー本体３の上シート７には縦開閉部９と横開閉部１１が形成されている。縦開閉部９は上シート７の幅方向の中心に備えられ、上辺から下端まで延びている。また、横開閉部１１は上シート７の長手方向の中心に備えられ、カバー本体３の右辺から左辺まで延びている。
この布団カバー６１は、交点Ｉを境にする四つのエレメント群１５ａ、１５ｂ、１５ｃ、１５ｄが備えられ、これらのエレメント群毎に四つのスライダ１７ａ、１７ｂ、１７ｃ、１７ｄが備えられている。
【実施例６】
【００１８】
図７に実施例６に係る布団カバー７１を示す。
この布団カバー７１のカバー本体３の上シート７には縦開閉部９と横開閉部１１が形成されている。横開閉部１１はカバー本体３の横辺としての上辺に備えられ、また、縦開閉部９は本体カバー３の下辺側の右角部から上辺の中心に向かって延び、もう一つの縦開閉部９は本体カバー３の下辺側の左角部から上辺のほぼ中心に向かって延びている。
この布団カバー７１は、交点Ｉを境にする四つのエレメント群１５ａ、１５ｂ、１５ｃ、１５ｄが備えられ、これらのエレメント群毎に四つのスライダ１７ａ、１７ｂ、１７ｃ、１７ｄが備えられている。
【００１９】
以上、本発明の実施例について詳述してきたが、具体的構成は、この実施例に限られるものではなく、本発明の要旨を逸脱しない範囲における設計の変更などがあっても発明に含まれる。
【図面の簡単な説明】
【００２０】
【図１】本発明の実施例１に係る布団カバーの平面図である。
【図２】本発明の実施例１に係る布団カバーの使用方法を説明するための斜視図である。
【図３】本発明の実施例２に係る布団カバーの平面図である。
【図４】本発明の実施例３に係る布団カバーの平面図である。
【図５】本発明の実施例４に係る布団カバーの平面図である。
【図６】本発明の実施例５に係る布団カバーの平面図である。
【図７】本発明の実施例６に係る布団カバーの平面図である。
【符号の説明】
【００２１】
１、３１、４１、５１、６１、７１  布団カバー
３  カバー本体      ５  下シート
７  上シート        ９  縦開閉部        １１  横開閉部
１３  滑り留金具      １５  エレメント
１５ａ、１５ｂ、１５ｃ、１５ｄ  エレメント群
１７ａ、１７ｂ、１７ｃ、１７ｄ  スライダ
２１  布団      Ｉ  交点
【図１】
2005066322.tif 000003
【図２】
2005066322.tif 000004
【図３】
2005066322.tif 000005
【図４】
2005066322.tif 000006
【図５】
2005066322.tif 000007
【図６】
2005066322.tif 000008
【図７】
2005066322.tif 000009